(57)【要約】【課題】上方側に形成された開口部から浸入した液体が機構部に付着することを抑制する。【解決手段】シフト装置１０は、開口部１８Ｂが形成されたインジケータプレート１８と、インジケータプレート１８の下方側に設けられ、開口部１８Ｂを通じて操作される解除ボタン１７と、開口部１８Ｂを閉止するダミーカバー３６と、を備えている。また、シフト装置１０は、インジケータプレート１８の下方側かつ解除ボタン１７の上方側に設けられ、開口部１８Ｂの周縁とダミーカバー３６との間から浸入した液体を受ける第１庇部２６Ｂを有するアッパカバー２６を備えている。さらに、シフト装置１０は、アッパカバー２６の下方側かつ解除ボタン１７の上方側に設けられ、第１庇部２６Ｂにおいて開口部１８Ｂとは反対側の端から落下した液体を解除ボタン１７の側方側に受流す前側庇部３０Ｃ及び後側庇部３０Ｄを有するロアカバー３０を備えている。【選択図】図１
2019038323.tif 000002
【特許請求の範囲】
【請求項１】
開口部が形成された上方側部材と、
前記上方側部材の下方側に設けられ、前記開口部を通じて操作される機構部と、
前記開口部を閉止するカバーと、
前記上方側部材の下方側かつ前記機構部の上方側に設けられ、上下方向に延びると共に上端部が前記開口部の内側に配置された縦壁部と、該縦壁部から延出し、前記開口部の周縁と前記カバーとの間から浸入した液体を受ける第１庇部を有する第１庇部材と、
を備えたシフト装置。
【請求項２】
前記第１庇部材の下方側かつ前記機構部の上方側に設けられ、前記第１庇部において前記開口部とは反対側の端から落下した液体を前記機構部の側方側に受流す第２庇部を有する第２庇部材を備えた請求項１記載のシフト装置。
【請求項３】
前記カバーは、前記開口部を閉止するカバー本体部と、該カバー本体部から前記第１庇部側へ向けて延びる係止部と、を備えており、
前記係止部が前記縦壁部に係止されている請求項１又は請求項２記載のシフト装置。
【請求項４】
前記第１庇部と前記上方側部材との間には、前記開口部の周縁と前記カバーとの間から浸入した液体が通過する流路を形成するクリアランスが設けられている請求項１〜請求項３のいずれか１項に記載のシフト装置。
【発明の詳細な説明】
【技術分野】
【０００１】
本発明は、シフト装置に関する。
【背景技術】
【０００２】
下記特許文献１には、シフトレバー装置上に飲料水等の液体が零れ落ちても、シフト装置（シフトレバー装置）内に配置された内部機器において液体が付くのを避けたい部分を濡らさないようにした構成が開示されている。この文献に記載されたシフト装置では、液体の流れの上流側に、内部機器において液体が付着するのを避けたい部分を覆う傘部を設けている。また、内部機器において液体が付着するのを避けたい部分の近くの少なくとも液体が流れて来る上流側に液体吸着手段を設けている。これにより、内部機器において液体が付着するのを避けたい部分に当該液体が付着しないようになっている。
【先行技術文献】
【特許文献】
【０００３】
【特許文献１】特開平９−２４０３０４号公報
【発明の概要】
【発明が解決しようとする課題】
【０００４】
ところで、シフト装置上に形成された開口部から操作される機構部が内部に配置されたシフト装置においても、機構部に液体が付着することを抑制できることが望ましい。
【０００５】
本発明は上記事実を考慮し、上方側に形成された開口部から浸入した液体が機構部に付着することを抑制できるシフト装置を得ることが目的である。
【課題を解決するための手段】
【０００６】
第１の態様に係るシフト装置は、開口部が形成された上方側部材と、前記上方側部材の下方側に設けられ、前記開口部を通じて操作される機構部と、前記開口部を閉止するカバーと、前記上方側部材の下方側かつ前記機構部の上方側に設けられ、上下方向に延びると共に上端部が前記開口部の内側に配置された縦壁部と、該縦壁部から延出し、前記開口部の周縁と前記カバーとの間から浸入した液体を受ける第１庇部を有する第１庇部材と、を備えている。
【０００７】
第２の態様に係るシフト装置は、第１の態様に係るシフト装置において、前記第１庇部材の下方側かつ前記機構部の上方側に設けられ、前記第１庇部において前記開口部とは反対側の端から落下した液体を前記機構部の側方側に受流す第２庇部を有する第２庇部材を備えている。
【０００８】
第３の態様に係るシフト装置は、第１の態様又は第２の態様に係るシフト装置において、前記カバーは、前記開口部を閉止するカバー本体部と、該カバー本体部から前記第１庇部側へ向けて延びる係止部と、を備えており、前記係止部が前記縦壁部に係止されている。
【０００９】
第４の態様に係るシフト装置は、第１の態様〜第３の態様のいずれかの態様のシフト装置において、前記第１庇部と前記上方側部材との間には、前記開口部の周縁と前記カバーとの間から浸入した液体が通過する流路を形成するクリアランスが設けられている。
【発明の効果】
【００１０】
第１の態様に係るシフト装置によれば、上方側部材に形成された開口部を閉止するカバーが取り外されることで、上方側部材に形成された開口部から機構部を操作することができる。ここで、上方側部材に形成された開口部がカバーによって閉止された状態で、上方側部材に液体が付着すると、当該液体が上方側部材に形成された開口部の周縁とカバーとの間から機構部側に浸入することが考えられる。この場合、上方側部材に形成された開口部の周縁とカバーとの間から機構部側に浸入した液体は、第１庇部によって受けられる。また、浸入した液体が機構部側へ落下することが縦壁部によって抑制される。これにより、上方側部材に形成された開口部から浸入した液体が機構部に付着することを抑制することができる。
【００１１】
第２の態様に係るシフト装置によれば、第２庇部材の第２庇部によって、上方側部材に形成された開口部から浸入した液体が機構部に付着することを抑制することができる。
【００１２】
第３の態様に係るシフト装置によれば、カバーの係止部が、第１庇部材の縦壁部に係止されていることにより、カバーのカバー本体部と第１庇部材の縦壁部との位置関係が安定する。その結果、上方側部材に形成された開口部の周縁とカバーのカバー本体部との間から機構部側に浸入した液体が機構部側へ浸入することをより抑制できる。
【００１３】
第４の態様に係るシフト装置によれば、開口部の周縁とカバーとの間から浸入した液体が通過する流路を第１庇部と上方側部材との間に意図的に形成することで、当該浸入した液体を第１庇部側へ速やかに流すことができる。
【図面の簡単な説明】
【００１４】
【図１】シフト装置を示す断面図である。
【図２】シフト装置においてシフトロック解除ボタンが設けられた部分を拡大して示す拡大断面図である。
【図３】シフト装置の一部を分解して示す分解斜視図である。
【発明を実施するための形態】
【００１５】
図１〜図３を用いて本発明の実施形態に係るシフト装置１０について説明する。なお、各図に適宜記す矢印ＵＰ、矢印ＦＲ，矢印ＬＨ及び矢印ＲＨは、シフト装置１０を備えた車両の上方向、車両の前方向、車両左右方向（車幅方向）の左側及び右側方向をそれぞれ示している。また以下、単に前後、左右、上下の方向を用いて説明する場合は、特に断りのない限り、車両前後方向の前後、車両左右方向（車幅方向）の左右、車両上下方向の上下を示すものとする。
【００１６】
図１に示されるように、本実施形態のシフト装置１０は、車両室内のインストールメントパネルの中央下部やセンタコンソール等に設けられている。このシフト装置１０では、シフトレバー１２を車両前後方向及び左右方向にシフト操作してシフト位置を選択するように構成されている。なお、シフトレバー１２の下端部は、当該シフトレバー１２を前後方向及び左右方向に傾動可能に支持するレバー支持機構１４によって支持されている。
【００１７】
また、シフト装置１０は、シフトロック機構１６を備えており、このシフトロック機構１６は、ソレノイドを備えている。ソレノイドは、車両の制御装置に電気的に接続されており、ソレノイドは、制御装置の制御により、電気的に作動可能となっている。
【００１８】
一例として、シフトレバー１２が「Ｐ（パーキング）」位置に配置される際に、ブレーキが操作されない場合には、ソレノイドが作動されずに、シフトロック機構がシフトレバー１２の操作をロック（規制）することで、シフトレバー１２の「Ｐ」位置から「Ｒ（リバース）」位置への操作がロックされる。一方、シフトレバー１２が「Ｐ」位置に配置される際に、ブレーキが操作された場合には、ソレノイドが作動されて、シフトロック機構がシフトレバー１２の操作のロックを解除することで、シフトレバー１２の「Ｐ」位置から「Ｒ」位置への操作のロックが解除される。
【００１９】
また、シフトロック機構１６は、機構部として解除ボタン１７を備えている。そして、例えば、ソレノイドが作動不能である場合において、シフトレバー１２が「Ｐ」位置に配置される際に、解除ボタン１７を下方側へ向けて押すことで、シフトレバー１２の操作のロックを解除する。このため、シフトレバー１２の「Ｐ」位置から「Ｒ」位置への操作のロックが解除される。
【００２０】
ここで、本実施形態では、シフトレバー１２の位置（シフト位置）を表示するインジケータプレート１８に飲み物などの水滴（液体）が零れた際に、解除ボタン１７に水滴が付着することを抑制するための被水抑制構造が適用されている。具体的には、図３に示されるように、インジケータプレート１８に形成された開口部１８Ｂと当該開口部１８Ｂを閉止するカバーとしてのダミーカバー３６との間の隙間から下方側へ向けて浸入した水滴が解除ボタン１７（図２参照）にかかることを抑制するための構造が、シフト装置１０を構成する第１庇部材としてのアッパカバー２６及び第２庇部材としてのロアカバー３０に適用されている。
【００２１】
インジケータプレート１８は、上方側から見て前後方向を長手方向とする矩形板状に形成されている。このインジケータプレート１８には、シフトレバー１２（図１参照）が挿通されると共に当該シフトレバー１２の前後方向及び左右方向への傾動軌跡に対応するシフトレバー挿通孔１８Ａが形成されている。また、インジケータプレート１８におけるシフトレバー挿通孔１８Ａの左側には、当該インジケータプレート１８の上方側から解除ボタン１７（図２参照）を操作するための矩形状の開口部１８Ｂが形成されている。
【００２２】
また、インジケータプレート１８には、シフト位置の表示部が設けられている。なお、図３に示されるように、インジケータプレート１８の下方側には、導光シート２０が設けられている。そして、光源装置支持部材２４に支持された光源装置２２からの光が導光シート２０に導光されることで、インジケータプレート１８に設けられたシフト表示部等が光るようになっている。
【００２３】
アッパカバー２６は、インジケータプレート１８の下方側に配置されている。このアッパカバー２６には、シフトレバー１２（図１参照）が挿通されると共に当該シフトレバー１２の前後方向及び左右方向への傾動をガイドするガイドハウジング２８が取付けられている。そして、インジケータプレート１８が、アッパカバー２６の上部に固定されている。
【００２４】
ロアカバー３０は、アッパカバー２６の下方側に配置されている。このロアカバー３０には、シフトレバー１２（図１参照）が挿通されると共に当該シフトレバー１２の前後方向及び左右方向への傾動軌跡に対応するシフトレバー挿通孔３０Ａが形成されている。
【００２５】
また、ロアカバー３０とアッパカバー２６との間には、シフトレバー１２が挿通されるシフトレバー挿通孔３２Ａ、３４Ａがそれぞれ形成された第１スライドカバー３２及び第２スライドカバー３４が設けられている。この第１スライドカバー３２及び第２スライドカバー３４が、シフトレバー１２の操作に追従してスライドされることで、インジケータプレート１８に形成されたシフトレバー挿通孔１８Ａ及びガイドハウジング２８からのシフト装置１０内への異物の浸入が抑制されるようになっている。
【００２６】
図２に示されるように、ダミーカバー３６は、インジケータプレート１８に形成された開口部１８Ｂの形状に対応する矩形状のカバー本体部３６Ａと、カバー本体部３６Ａから下方側へ向けて延びる一対の係止部３６Ｂと、を備えている。この一対の係止部３６Ｂが、後述するアッパカバー２６の筒状部２６Ａの下端部２６Ａ１に係止されることで、ダミーカバー３６がアッパカバー２６に係止されて、ダミーカバー３６のカバー本体部３６Ａがインジケータプレート１８に形成された開口部１８Ｂを閉止するようになっている。
【００２７】
また、アッパカバー２６は、インジケータプレート１８に形成された開口部１８Ｂと上下方向に同軸上に配置された縦壁部としての筒状部２６Ａを備えている。この筒状部２６Ａの中央部から上端までの内径（前後方向及び左右方向への寸法）は、一定の寸法となっていると共に、筒状部２６Ａの中央部から下端までの内径（前後方向及び左右方向への寸法）は、下方側に向かうにつれて次第に小さくなっている。
【００２８】
また、筒状部２６Ａの外径（前後方向及び左右方向への寸法）は、インジケータプレート１８に形成された開口部１８Ｂ及び当該開口部１８Ｂを閉止するダミーカバー３６のカバー本体部３６Ａの寸法（前後方向及び左右方向への寸法）よりも小さな寸法となっていると共に、上端から下端にかけて一定の寸法となっている。また、インジケータプレート１８がアッパカバー２６に取付けられた状態では、筒状部２６Ａの上端部２６Ａ２がインジケータプレート１８に形成された開口部１８Ｂの内側に配置されている。
【００２９】
また、筒状部２６Ａの下端側からは上下方向を厚み方向とする板状の第１庇部２６Ｂが前後及び左右方向へ延出している。この第１庇部２６Ｂの前後方向及び左右方向への寸法は、インジケータプレート１８に形成された開口部１８Ｂの寸法（前後方向及び左右方向への寸法）よりも大きな寸法となっている。また、アッパカバー２６における第１庇部２６Ｂの前方側及び後方側には、上方側から見て矩形状の開口２６Ｃが形成されている。これにより、第１庇部２６Ｂが当該開口２６Ｃの周縁の一部を形成している。また、第１庇部２６Ｂとインジケータプレート１８との間には、上下方向に所定のクリアランスＣ１（水路を形成するためのクリアランスＣ１）が設けられている。このクリアランスＣ１は、アッパカバー２６に形成された開口２６Ｃの周縁において第１庇部２６Ｂとは反対側の部分２６Ｄとインジケータプレート１８との上下方向へのクリアランスＣ２よりも大きな寸法に設定されている。
【００３０】
ロアカバー３０は、インジケータプレート１８に形成された開口部１８Ｂ及びアッパカバー２６の筒状部２６Ａと上下方向に略同軸上に配置された筒状部３０Ｂを備えている。この筒状部３０Ｂの上端部３０Ｂ１の内径（前後方向及び左右方向への寸法）は、インジケータプレート１８に形成された開口部１８Ｂの寸法（前後方向及び左右方向への寸法）よりも大きな寸法となっている。また、筒状部３０Ｂの下端部３０Ｂ２は、解除ボタン１７と近接して配置されている。
【００３１】
また、筒状部３０Ｂの上端の前方側からは、前方側へ向かうにつれて下方側へ傾斜された第２庇部としての前側庇部３０Ｃが延出していると共に、筒状部３０Ｂの上端の後方側からは、後方側へ向かうにつれて下方側へ傾斜された第２庇部としての後側庇部３０Ｄが延出している。この前側庇部３０Ｃの前後方向の中間部は、アッパカバー２６の第１庇部２６Ｂの前端２６Ｂ１の下方側に配置されていると共に、後側庇部３０Ｄの前後方向の中間部は、アッパカバー２６の第１庇部２６Ｂの後端２６Ｂ２の下方側に配置されている。
【００３２】
（本実施形態の作用並びに効果）
次に、本実施形態の作用並びに効果について説明する。
【００３３】
図１及び図２に示されるように、以上説明した本実施形態のシフト装置１０によれば、インジケータプレート１８に形成された開口部１８Ｂを閉止するダミーカバー３６が取外されることで、インジケータプレート１８に形成された開口部１８Ｂから解除ボタン１７を操作することができる。すなわち、インジケータプレート１８に形成された開口部１８Ｂからドライバー等の工具や専用の治具を挿入して、解除ボタン１７を下方側へ向けて押すことで、シフトレバー１２の操作のロックを解除することができる。
【００３４】
ここで、インジケータプレート１８に形成された開口部１８Ｂがダミーカバー３６によって閉止された状態で、インジケータプレート１８に水滴が付着すると、当該水滴がインジケータプレート１８に形成された開口部１８Ｂの周縁とダミーカバー３６のカバー本体部３６Ａとの間から解除ボタン１７側に浸入することが考えられる。この場合、インジケータプレート１８に形成された開口部１８Ｂの周縁とカバー本体部３６Ａとの間から解除ボタン１７側に浸入した水滴は、アッパカバー２６の筒状部２６Ａの外側の面に沿って流れた（筒状部２６Ａによってガイドされた）後に第１庇部２６Ｂによって受けられる。これにより、浸入した水滴が筒状部２６Ａ側から解除ボタン１７側へ落下することが抑制される。ここで、本実施形態では、第１庇部２６Ｂとインジケータプレート１８との間に水路を形成するためのクリアランスＣ１が設けられている。これにより、浸入した水滴を第１庇部２６Ｂ側へ速やかに流すことができる。
【００３５】
また、アッパカバー２６の第１庇部２６Ｂの前端２６Ｂ１及び後端２６Ｂ２から落下した水滴は、ロアカバー３０の前側庇部３０Ｃ及び後側庇部３０Ｄによって解除ボタン１７の側方側（前方側及び後方側）へ受流される。これにより、インジケータプレート１８に形成された開口部１８Ｂから浸入した水滴が解除ボタン１７に付着することを抑制することができる。なお、アッパカバー２６の第１庇部２６Ｂの前端２６Ｂ１及び後端２６Ｂ２から落下した水滴が解除ボタン１７に付着する虞が少ない場合においては、前側庇部３０Ｃ及び後側庇部３０Ｄを設けない構成としてもよい。
【００３６】
また、本実施形態のシフト装置１０では、ダミーカバー３６の係止部３６Ｂが、アッパカバー２６の筒状部２６Ａの下端部２６Ａ１に係止されている。これにより、ダミーカバー３６のカバー本体部３６Ａとアッパカバー２６の筒状部２６Ａとの位置関係が安定する。その結果、インジケータプレート１８に形成された開口部１８Ｂの周縁とダミーカバー３６のカバー本体部３６Ａとの間から解除ボタン１７側に浸入した水滴をアッパカバー２６の筒状部２６Ａによってより確実にガイドさせることができる。
【００３７】
なお、本実施形態では、ダミーカバー３６の係止部３６Ｂをアッパカバー２６の筒状部２６Ａに係止させた例について説明したが、本発明はこれに限定されない。例えば、アッパカバー２６が、筒状部２６Ａと対応する部分を備えていない構成においては、インジケータプレート１８に形成された開口部１８Ｂの周縁に係止される係止部３６Ｂを有するダミーカバー３６を用いればよい。
【００３８】
また、本実施形態では、解除ボタン１７に水滴が付着することを抑制するために、上記被水抑制構造を適用した例について説明したが、本発明はこれに限定されない。シフト装置内に操作対象である他の機構部を有する構成であれば、当該他の機構部の被水を抑制するために、前述の被水防止構造を適用すればよい。
【００３９】
以上、本発明の一実施形態について説明したが、本発明は、上記に限定されるものでなく、その主旨を逸脱しない範囲内において上記以外にも種々変形して実施することが可能であることは勿論である。
【符号の説明】
【００４０】
１０   シフト装置
１７   解除ボタン（機構部）
１８   インジケータプレート（上方側部材）
１８Ｂ 開口部
２６   アッパカバー（第１庇部材）
２６Ａ 筒状部（縦壁部）
２６Ｂ 第１庇部
３０   ロアカバー（第２庇部材）
３０Ｃ 前側庇部（第２庇部）
３０Ｄ 後側庇部（第２庇部）
３６   ダミーカバー
３６Ａ カバー本体部
３６Ｂ 係止部
【図１】
2019038323.tif 000003
【図２】
2019038323.tif 000004
【図３】
2019038323.tif 000005